(57)【要約】  本発明はタッチスクリーン付き端末によるドキュメント処理方法及びタッチスクリーン付き端末を提供しており、ドキュメント操作に対応する制御エリア、及び前記制御エリアに対する操作方式を端末が保存するステップと、前記端末は前記制御エリアを監視し、監視した前記制御エリアに対する操作方式と前記端末により保存される前記制御エリアに対する操作方式とが一致すると判定した場合、前記端末が、前記制御エリアに対応するドキュメント操作に基づいて前記ドキュメントを操作するステップと、を含む。前記タッチスクリーン付き端末によるドキュメント処理方法及びタッチスクリーン付き端末によれば、ユーザはタッチスクリーンの異なる位置に操作エリアを柔軟に設定することができ、それにより、ユーザのリーディングエクスペリエンスを大幅に改善する。
2014521173.tif 000002
【特許請求の範囲】
【請求項１】
ユーザにより設定されるドキュメント操作に対応する制御エリア、及び前記制御エリアに対する操作方式を端末が保存するステップと、
前記端末は前記制御エリアを監視し、監視した前記制御エリアに対する操作方式と前記端末により保存される前記制御エリアに対する操作方式とが一致すると判定した場合、前記端末が、前記制御エリアに対応するドキュメント操作に基づいてドキュメントを操作するステップと、
を含むタッチスクリーン付き端末によるドキュメント処理方法。
【請求項２】
前記制御エリアに対する操作方式は、シングルタッチ、ダブルタッチ、長押し、短押し又はスライドである、
ことを特徴とする請求項１に記載の方法。
【請求項３】
前記制御エリアは、透かし形式で表示される、
ことを特徴とする請求項１に記載の方法。
【請求項４】
前記ドキュメントは、テキストドキュメント、ピクチャードキュメント及びウェブページドキュメントの中の１種又は複数種を含み、
前記ドキュメントがピクチャードキュメントである時、前記ドキュメント操作は拡大、縮小、移動及びピクチャー切替操作の中の１種又は複数種を含み、
前記ドキュメントがテキストドキュメントである時、前記ドキュメント操作はページめくり、上の行への切替操作、及び下の行への切替操作の中の１種又は複数種を含み、
前記ドキュメントがウェブページドキュメントである時、前記ドキュメント操作はフォーカス項目の上下切替、フォーカス項目の左右切替、及びページ切替操作の中の１種又は複数種を含む、
ことを特徴とする請求項１に記載の方法。
【請求項５】
前記制御エリアは、端末のタッチスクリーンの左側及び／又は右側に位置する１つ又は複数のエリアを含む、
ことを特徴とする請求項１から４の中のいずれかの一つに記載の方法。
【請求項６】
ユーザにより設定されるドキュメント操作に対応する制御エリア、及び前記制御エリアに対する操作方式を保存するように設置される保存モジュールと、
前記制御エリアを監視し、監視した前記制御エリアに対する操作方式と前記保存モジュールにより保存される前記制御エリアに対する操作方式とが一致すると判定した場合、前記制御エリアに対応するドキュメント操作に基づいて前記ドキュメントを操作するように設置される処理モジュールと、
を備えるタッチスクリーン付き端末。
【請求項７】
前記制御エリアに対する操作方式は、シングルタッチ、ダブルタッチ、長押し、短押し又はスライドである、
ことを特徴とする請求項６に記載の端末。
【請求項８】
前記制御エリアは、透かし形式で表示される、
ことを特徴とする請求項６に記載の端末。
【請求項９】
前記ドキュメントは、テキストドキュメント、ピクチャードキュメント及びウェブページドキュメントの中の１種又は複数種を含み、
前記ドキュメントがピクチャードキュメントである時、前記ドキュメント操作は拡大、縮小、移動及びピクチャー切替操作の中の１種又は複数種を含み、
前記ドキュメントがテキストドキュメントである時、前記ドキュメント操作はページめくり、上の行への切替操作、及び下の行への切替操作の中の１種又は複数種を含み、 
前記ドキュメントがウェブページドキュメントである時、前記ドキュメント操作はフォーカス項目の上下切替、フォーカス項目の左右切替、及びページ切替操作の中の１種又は複数種を含む、
ことを特徴とする請求項６に記載の端末。
【請求項１０】
前記制御エリアは、端末のタッチスクリーンの左側及び／又は右側に位置する１つ又は複数のエリアを含む、
ことを特徴とする請求項６から９の中のいずれかの一つに記載の端末。
【発明の詳細な説明】
【技術分野】
【０００１】
本発明は通信分野に関し、特にタッチスクリーン付き端末によるドキュメント処理方法及びタッチスクリーン付き端末に関する。
【背景技術】
【０００２】
通信技術の絶えない進歩につれて、人間の生活に利用される無線端末装置がますます多くなっている。これらの無線移動端末装置は、その携帯性と移動性のため、人間がドキュメントを閲覧する方式を大幅に変更している。
【０００３】
従来のタッチスクリーン付き移動端末は、ドキュメントを表示する際、通常、タッチスクリーンにおけるユーザのタッチ又はスライドによってドキュメントリーディング時の制御操作を行う。例えば、スクリーンを左右に区画し、スクリーンの左側エリアがタッチされる又はスクリーンが左へスライドされることによって前ページを表示させ、スクリーンの右側エリアがタッチされる又はスクリーンが右へスライドされることによって次ページを表示させ、スクリーンが上から下へスライドされることでドキュメントの次ページ又は数行先を表示させ、スクリーンが下から上へスライドされることでドキュメントの前ページ又は数行前を表示させる処理を行う。このような設定は合理的に見えるが、実際に、ユーザエクスペリエンスが良いとは言えない。
【０００４】
ユーザは小説又はページ数が比較的多いドキュメントをリーディングする際、通常、前、次ページへの切替、又は上、下の行への切替を指で絶えず行う。これらの操作はキーの位置が相対的に固定し、且つ携帯電話のサイズが異なるため、ユーザの指の疲労をもたらすおそれがある。例えば、人の右手で端末を持っている際、一般的には人の親指が自然にスクリーンの左側に位置するが、親指で次ページ切替を行うには、親指をスクリーンの右側に絶えず曲げる必要がある。長期間このような操作を行うと必然的に指が疲労する。同様に、人の左手で端末を持っている際、一般的には人の親指が自然に矢印キーの右側に位置し、前ページ切替を行う時、親指をスクリーンの左側に絶えず曲げる必要がある。長期間このような操作を行うと、必然的に指も疲労し、また、他方の手の指で操作する時、固定的な姿勢を長期間維持する必要があるので、それも疲労をもたらし、且つ指のスライドによって複数行の切替を行う時、位置決めの精度が不十分である問題をきたすおそれがある。
【発明の概要】
【発明が解決しようとする課題】
【０００５】
本発明は、固定的なドキュメント制御方式によるユーザの操作の不便さという問題を解決するように、タッチスクリーン付き端末によるドキュメント処理方法及びタッチスクリーン付き端末を提供する。
【課題を解決するための手段】
【０００６】
本発明はタッチスクリーン付き端末によるドキュメント処理方法を提供し、ユーザにより設定されるドキュメント操作に対応する制御エリア、及び前記制御エリアに対する操作方式を端末が保存するステップと、前記端末は前記制御エリアを監視し、監視した前記制御エリアに対する操作方式と前記端末により保存される前記制御エリアに対する操作方式とが一致すると判定した場合、前記端末が、前記制御エリアに対応するドキュメント操作に基づいてドキュメントを操作するステップと、を含む。
【０００７】
好ましくは、前記制御エリアに対する操作方式は、シングルタッチ、ダブルタッチ、長押し、短押し又はスライドである。
【０００８】
好ましくは、前記制御エリアは、透かし形式で表示される。
【０００９】
好ましくは、前記ドキュメントは、テキストドキュメント、ピクチャードキュメント及びウェブページドキュメントの中の１種又は複数種を含み、前記ドキュメントがピクチャードキュメントである時、前記ドキュメント操作は拡大、縮小、移動及びピクチャー切替操作の中の１種又は複数種を含み、前記ドキュメントがテキストドキュメントである時、前記ドキュメント操作はページめくり、上の行への切替操作、及び下の行への切替操作の中の１種又は複数種を含み、前記ドキュメントがウェブページドキュメントである時、前記ドキュメント操作はフォーカス項目の上下切替、フォーカス項目の左右切替、及びページ切替操作の中の１種又は複数種を含む。
【００１０】
好ましくは、前記制御エリアは、端末のタッチスクリーンの左側及び／又は右側に位置する１つ又は複数のエリアを含む。
【００１１】
本発明は、タッチスクリーン付き端末をさらに提供し、ユーザにより設定されるドキュメント操作に対応する制御エリア、及び前記制御エリアに対する操作方式を保存するように設置される保存モジュールと、前記制御エリアを監視し、監視した前記制御エリアに対する操作方式と前記保存モジュールにより保存される前記制御エリアに対する操作方式とが一致すると判定した場合、前記制御エリアに対応するドキュメント操作に基づいて前記ドキュメントを操作するように設置される処理モジュールと、を備える。
【００１２】
好ましくは、前記制御エリアの操作方式は、シングルタッチ、ダブルタッチ、長押し、短押し又はスライドである。
【００１３】
好ましくは、前記制御エリアは、透かし形式で表示される。
【００１４】
好ましくは、前記ドキュメントは、テキストドキュメント、ピクチャードキュメント及びウェブページドキュメントの中の１種又は複数種を含み、前記ドキュメントがピクチャードキュメントである時、前記ドキュメント操作は拡大、縮小、移動及びピクチャー切替操作の中の１種又は複数種を含み、前記ドキュメントがテキストドキュメントである時、前記ドキュメント操作はページめくり、上の行への切替操作、及び下の行への切替操作の中の１種又は複数種を含み、前記ドキュメントがウェブページドキュメントである時、前記ドキュメント操作はフォーカス項目の上下切替、フォーカス項目の左右切替、及びページ切替操作の中の１種又は複数種を含む。
【００１５】
好ましくは、前記制御エリアは端末のタッチスクリーンの左側及び／又は右側に位置する１つ又は複数のエリアを含む。
【発明の効果】
【００１６】
上記タッチスクリーン付き端末によるドキュメント処理方法及びタッチスクリーン付き端末によれば、ユーザはタッチスクリーンの異なる位置に操作エリアを柔軟に設定することができ、それにより、ユーザのリーディングエクスペリエンスを大幅に改善する。
【図面の簡単な説明】
【００１７】
【図１】本発明に係るタッチスクリーン付き端末によるドキュメント処理方法の実施例のフローチャートである。
【図２】本発明に係るタッチスクリーン端末の実施例の制御エリアの模式図である。
【図３】本発明に係るＰＡＤタイプ端末の実施例の制御エリアの模式図である。
【図４】本発明に係るタッチスクリーン付き端末の実施例の構成模式図である。
【発明を実施するための形態】
【００１８】
本発明の目的、解決手段及びメリットをさらに明らかにするために、以下、図面を参照しながら本発明の実施例を詳細に説明する。ただし、衝突しない場合、本願における実施例及び実施例における特徴は任意に組み合わせてもよい。
【００１９】
本発明の実施例はタッチスクリーン付き端末によるドキュメント処理方法を提供し、以下のステップを含む。
【００２０】
ステップ１０１
ユーザにより設定されるドキュメント操作に対応する制御エリア、及び前記制御エリアに対する操作方式を端末が保存する。
【００２１】
ユーザがカレントのドキュメントのリーディング前又はリーディング中、端末に設定要求を送信し、端末がカレントのドキュメントに対するユーザの設定要求に基づいて設定ウィザードを表示する。そして、ユーザにより設定された操作及び上記操作に対応する制御エリアと制御エリアの操作方式を端末に保存する。具体的には、例文を示してユーザに操作させることによって操作方式を記録することができる。例えば、まず、ユーザにページアップさせるためのジェスチャー（例えば、上向きスライド）を入力させるための例文を表示する。その後、ユーザは左右の手の親指が自然に置かれるスクリーンの位置でタッチすると、タッチされたエリアがページアップを示すエリアとして記録される。以下、その他の設定を同様に行うことができる。上記制御エリアの操作方式は、シングルタッチ、ダブルタッチ、長押し、短押し又はスライドである。
【００２２】
勿論、制御エリアの設定はユーザのドキュメントリーディングに悪影響を与えてはならず、制御エリアは透かし形式で表示されてもよく、非表示にされてもよく、ユーザが相応のエリアを押す時しか表示されなくてもよい。
【００２３】
ステップ１０２
前記端末は前記制御エリアを監視し、監視した前記制御エリアに対する操作方式と前記端末により保存される前記制御エリアに対する操作方式とが一致すると判定した場合、前記端末が、前記制御エリアに対応するドキュメント操作に基づいてドキュメントを操作する。
【００２４】
上記カレントのドキュメントは、テキストドキュメント、ピクチャードキュメント及びウェブページドキュメントの１種又は複数種を含む。上記ドキュメントがピクチャードキュメントである時、上記操作は拡大、縮小、移動及びピクチャー切替操作の１種又は複数種を含み、上記ドキュメントがテキストドキュメントである時、上記操作はページめくり、上の行への切替操作、及び下の行への切替操作の１種又は複数種を含み、上記ドキュメントがウェブページドキュメントである時、上記操作はフォーカス項目の上下切替、フォーカス項目の左右切替及びページ切替操作の１種又は複数種を含む。
【００２５】
異なるドキュメントの異なる操作に応じて、手の最適なタッチに符合するエリアを選択することができる。例えば、左手で携帯電話を持っている際、制御エリアは左手の親指が自然にタッチするスクリーンエリアであってもよく、右手で携帯電話を持っている際、制御エリアは右手の親指が自然にタッチするスクリーンエリアであってもよい。
【００２６】
また、ドキュメントにおける同一の操作は複数の制御エリアで表示されてもよい。つまり、制御エリアは左手の親指と右手の親指が自然にスクリーンにタッチするエリアに同時に設定されてもよい。
【００２７】
上記タッチスクリーン付き端末によるドキュメント処理方法によれば、ユーザはタッチスクリーンの異なる位置で制御エリアを自ら設定することができる。これにより、長時間の固定位置キーに対する単一な操作又は単一な固定操作による疲労感を低減させてユーザのリーディングエクスペリエンスを大幅に改善することができる。且つ、上記方法は端末のソフトウェアを適宜変更すれば実現することができる。
【００２８】
図２に示すように、本発明に係るタッチスクリーン端末の実施例の制御エリアの模式図であり、テキストタイプのドキュメントの表示を例示する。ユーザは、エリア２０１、２０２を前、次ページ切替制御エリアに、エリア２０３、２０４を上、下の行への切替制御エリアに設定してもよい。都合により左手で携帯電話を持ってファイルをリーディングする時、左手の親指が自然に置かれるエリアはドキュメント表示の制御に用いられることができる。従来の、左半分のスクリーンをタッチして前ページ切替、右半分のスクリーンをタッチして次ページ切替を行わなければならない場合に比べて、ユーザの使用習慣に合致する。また、ユーザが上から下へスクリーンをスライドさせてドキュメントの次ページ切替又は次の何行の切替を行い、下から上へスクリーンをスライドさせてドキュメントの前ページ切替又は前の何行の切替を行う場合に比べて、操作が便利、正確であるとともに、ユーザが矢印キーを利用することによって親指が緊張状態により生じる疲労感を大幅に低減させることもできる。
【００２９】
同様に、ユーザは右手で携帯電話を持って携帯電話リーディングを行う時、ユーザはエリア２０５、２０６を前後切替制御エリアに、エリア２０７、２０８を上、下の行の切替制御エリアに設定してもよい。ユーザは、同時に２０１〜２０８の制御エリアのすべてを設定してもよい。このように、ユーザは利用中、左手で携帯電話を持ってリーディングしても、右手で携帯電話を持ってリーディングしても、絶えないページめくり又は改行のような操作による指の疲労感を最大限に低減させることができる。
【００３０】
勿論、ユーザのここでの操作に対応するドキュメントへの制御はページめくり又は改行のような操作に限らず、その他のタイプの頻繁な操作はいずれもこのように設定することができる。
【００３１】
ユーザは、ドキュメントのリーディング前、このように設定してもよく、ドキュメントのリーディング中、随時設定してもよい。例えば、ドキュメントのリーディング中、エリア２０９に対する操作によってメニューを呼び出し、ドキュメントの各種の操作の制御エリアを再定義してもよい。このように、ユーザの長時間のリーディング過程において、従来のキー操作に疲労感が生じる時、制御エリア方式を改めて変更可能であることを保証することができる。それとともに、エリア２０９がスクリーンの真ん中に位置し、ちょうど親指が自然に置かれる位置であり、このエリアによって操作することは、従来のタッチスクリーン携帯電話がボトムメニュー（Ｍｅｎｕ）キーのポップアップによってメニューを設定する場合に比べて、ユーザの操作に便利である。
【００３２】
また、異なるエリアに対する操作は、１回の押しに限らず、複数回の押し、長押し、短押し、スライドなどの操作であってもよい。
【００３３】
図３は、本発明に係るＰＡＤタイプ端末の実施例の制御エリアの模式図であり、ピクチャータイプのドキュメントの表示を例示する。ユーザは、エリア３０１、３０２を前、次ピクチャー切替制御エリアに、エリア３０３、３０４を拡大、縮小切替制御エリアに、またエリア３０５、３０６を左右移動制御エリア（上下移動が類似するので、重複説明を省略）に設定してもよい。都合により右手でＰＡＤを持ってピクチャーをリーディングする時、右手の親指が自然に置かれるエリアはピクチャーリーディングの制御に用いられることができる。従来の、スクリーンでスライド、マルチタッチによって操作する場合に比べて、迅速である。
【００３４】
同様に、ユーザは、左手で携帯電話を持って携帯電話リーディングを行う時、ユーザはエリア３０７、３０８を前後切替制御エリアに、エリア３０９、３１０を上、下の行への切替制御エリアに、またエリア３１１、３１２を左右移動制御エリア（上下移動が類似するので、重複説明を省略）に設定してもよい。また、ユーザは、同時に３０１〜３１２の制御エリアのすべてを設定してもよい。このように、ユーザは利用中、左手で携帯電話を持ってリーディングしても、右手で携帯電話を持ってリーディングしても、絶えないページめくり又は縮小拡大のような操作による指の疲労感を最大限に低減させることができる。それとともに、ユーザは、従来の、操作中に一方の手にＰＡＤを載せ、他方の手が操作しなければならない方式を打破し、歩いている間及び立っている間、随時ＰＡＤを便利に操作することができる。
【００３５】
勿論、ユーザのここでの制御エリア操作に対応するドキュメントへの制御はページめくり又は改行のような操作に限らず、その他のタイプの頻繁な操作はいずれもこのように設定することができる。
【００３６】
ユーザは、ドキュメントのリーディング前、このように設定してもよく、ドキュメントのリーディング中、随時設定してもよい。例えば、ドキュメントのリーディング中、エリア３１３又はエリア３１４に対する操作によってメニューを呼び出し、ドキュメントの各種の操作の制御エリアを再定義してもよい。このように、ユーザの長時間のリーディング過程において、従来のキー操作に疲労感が生じる時、制御エリアを改めて変更可能であることを保証することができる。
【００３７】
また、制御エリアに対する操作は、１回の押しに限らず、複数回の押し、長押し、短押し、スライドなどの操作であってもよい。通常、ユーザの両手にＰＡＤを載せ、両手の親指が自然にＰＡＤのスクリーンにタッチする範囲のすべては望ましい設定エリアである。
【００３８】
図４は、本発明に係るタッチスクリーン付き端末の実施例の構成模式図である。当該端末は保存モジュール４１と処理モジュール４２とを備える。保存モジュール４１は、ユーザにより設定されるドキュメント操作に対応する制御エリア、及び前記制御エリアに対する操作方式を保存するように設置され、処理モジュール４２は、前記制御エリアを監視し、監視した前記制御エリアに対する操作方式と前記保存モジュールにより保存される前記制御エリアに対する操作方式とが一致すると判定した場合、前記制御エリアに対応するドキュメント操作に基づいて前記ドキュメントを操作するように設置される。
【００３９】
前記制御エリアの操作方式は、シングルタッチ、ダブルタッチ、長押し、短押し又はスライドである。前記制御エリアは透かし形式で表示される。
【００４０】
また、前記ドキュメントは、テキストドキュメント、ピクチャードキュメント及びウェブページドキュメントの１種又は複数種を含む。
【００４１】
好ましくは、前記ドキュメントがピクチャードキュメントである時、前記ドキュメント操作は拡大、縮小、移動及びピクチャー切替操作の中の１種又は複数種を含み、前記ドキュメントがテキストドキュメントである時、前記ドキュメント操作はページめくり、上の行への切替操作、及び下の行への切替操作の中の１種又は複数種を含み、前記ドキュメントがウェブページドキュメントである時、前記ドキュメント操作はフォーカス項目の上下切替、フォーカス項目の左右切替、及びページ切替操作の中の１種又は複数種を含む。
【００４２】
上記モジュールは幅広く各種の端末装置、例えば携帯電話、卓上電話などに適用可能である。そして、当該端末はユーザの需要に応じて制御エリアを設定することができ、それにより、長時間の固定位置キーに対する単一な操作又は単一な固定操作による疲労感を低減させてユーザのリーディングエクスペリエンスを大幅に改善する。
【００４３】
当業者は上記方法のステップのすべて又は一部がプログラムで関連のハードウェアに対して命令を出して完成させることができ、上記プログラムはコンピューターが読み取り可能な記憶媒体、例えば読み出し専用メモリ、磁気ディスク又は光ディスクなどに記憶できると理解可能である。また、上記実施例のステップのすべて又は一部は１つ又は複数の集積回路を用いて実現されてもよい。それに対して、上記実施例における各モジュール／ユニットはハードウェアの形態によって実現されてもよく、ソフトウェア機能モジュールの形態によって実現されてもよい。本発明は何らかの特定の形態のハードウェア及びソフトウェアの組合せに限定されない。
【００４４】
上記実施例は本発明の技術案を説明するためのものに過ぎず、制限するものではなく、好ましい実施例のみを参照して本発明を詳細に説明した。当業者は、本発明の技術案の趣旨及び範囲を逸脱せずに、本発明の技術案を修正又は等価置換することができ、その修正又は等価置換はいずれも本発明の請求の範囲に属すべきであると理解すべきである。
【産業上の利用可能性】
【００４５】
ユーザはタッチスクリーンの異なる位置に操作エリアを柔軟に設定することができ、それにより、ユーザのリーディングエクスペリエンスを大幅に改善する。
【図１】
2014521173.tif 000003
【図２】
2014521173.tif 000004
【図３】
2014521173.tif 000005
【図４】
2014521173.tif 000006
【国際調査報告】
2014521173.tif 000007
2014521173.tif 000008
2014521173.tif 000009
2014521173.tif 000010
2014521173.tif 000011